(57)【要約】【課題】非使用時には粘着体が収納体内に収納され、使用時にのみ粘着体が収納体から突出するようになし、かつ、使用時に該粘着体に付着した異物又は極小部品を該粘着体から容易に除去し得るようにした掃除具を提供する。【解決手段】収納体１内には作用杆３を該収納体の長さ方向に移動自在に配設し、該作用杆の一端３ａには粘着体５を備えさせ、該収納体における該作用杆の当該一端に対応する一端１ａを開口端７となし、該開口端は該粘着体の表面に近接させ、該作用杆と該収納体との間には常時該作用杆を前記一端から他端方向に付勢するバネ１１を配設し、更に、前記作用杆の一端に備えさせた粘着体を前記収納体の開口端から突出した位置と該収納体内に収納された位置とに動かすための操作手段を備えている。【選択図】図１
0003153782.tif 000002
【実用新案登録請求の範囲】
【請求項１】
収納体内には作用杆を該収納体の長さ方向に移動自在に配設し、該作用杆の一端には粘着体を備えさせ、該収納体における該作用杆の当該一端に対応する一端を開口端となし、該開口端は該粘着体が該収納体の外方より該開口端を通過する時に該粘着体に付着している異物又は極小部品を該粘着体から除去するように該粘着体の表面に近接させ、該作用杆と該収納体との間には常時該作用杆を前記一端から他端方向に付勢するバネを配設し、
更に、前記作用杆の一端に備えさせた粘着体を前記収納体の開口端から突出した位置と該収納体内に収納された位置とに動かすための操作手段を備えていることを特徴とする掃除具。
【請求項２】
前記操作手段は、前記収納体の側壁部における前記開口端の近傍には該側壁部を内外に貫く側壁透孔を形成し、前記作用杆には前記一端から他端に向かって該側壁透孔から離れる方向に徐々に傾斜した切り欠きを該側壁透孔に対応させて形成し、該側壁透孔には押圧体を該切り欠きに接離する方向に進退自在に挿嵌し、該押圧体を該収納体の内方に押し込んだときに該押圧体の内側端が該切り欠きを押圧することにより該作用杆が前記バネの力に抗して前記一端方向に移動して前記粘着体を前記収納体の開口端から突出させ、該押圧体に対する押圧を解除したときに該作用杆が前記バネの力により元の位置に復帰して該粘着体を該収納体内に収納された位置に戻すようにしてなることを特徴とする請求項１に記載の掃除具。
【請求項３】
前記操作手段は、前記収納体の他端には該収納体を内外に貫く端部透孔を形成し、前記作用杆の他端には突起を備えさせ、該突起を該端部透孔に進退自在に挿通し、該突起を該収納体の前記一端方向に押し込んだときに該作用杆が前記バネの力に抗して前記一端方向に移動して前記粘着体を前記収納体の開口端から突出させ、該突起に対する押圧を解除したときに該作用杆が前記バネの力により元の位置に復帰して該粘着体を該収納体内に収納された位置に戻すようにしてなるとを特徴とする請求項１に記載の掃除具。
【考案の詳細な説明】
【技術分野】
【０００１】
本考案は、掃除具に関するものであり、例えば電子部品、精密部品等の対象物からゴミ、ホコリその他の異物を除去するのみならず、更には極小部品を移動させる際にも使用することができるようにした掃除具に係るものである。
【背景技術】
【０００２】
本出願人は、このような掃除具を特開２００３−２２００１４号公報において提案している。
【０００３】
特開２００３−２２００１４号公報に示す掃除具（以下「従来の掃除具」という。）は、軸の一端に円柱状の粘着体を固定すると共に該軸に筒状体を外嵌し、該軸は該筒状体に対し回転自在かつ進退不能であることを特徴とするものである。
【先行技術文献】
【特許文献】
【０００４】
【特許文献１】特開２００３−２２００１４号公報
【考案の概要】
【考案が解決しようとする課題】
【０００５】
上記従来の掃除具は、優れたものであるが、軸の一端に固定された粘着体が常時露出しているため、該粘着体にゴミ、ホコリ等が付着し易いと共に、使用時に該粘着体に付着した異物又は極小部品を該粘着体から除去する手段を備えていないという問題がある。
【０００６】
このような状況に鑑み、本考案は、非使用時には粘着体が収納体内に収納され、使用時にのみ粘着体が収納体から突出するようになし、かつ、使用時に該粘着体に付着した異物又は極小部品を該粘着体から容易に除去し得るようにした掃除具を提供しようとしてなされたものである。  
【課題を解決するための手段】
【０００７】
上記課題を解決するために、本考案は、下記の掃除具を提供する。
【０００８】
（１）収納体内には作用杆を該収納体の長さ方向に移動自在に配設し、該作用杆の一端には粘着体を備えさせ、該収納体における該作用杆の当該一端に対応する一端を開口端となし、該開口端は該粘着体が該収納体の外方より該開口端を通過する時に該粘着体に付着している異物又は極小部品を該粘着体から除去するように該粘着体の表面に近接させ、該作用杆と該収納体との間には常時該作用杆を前記一端から他端方向に付勢するバネを配設し、
更に、前記作用杆の一端に備えさせた粘着体を前記収納体の開口端から突出した位置と該収納体内に収納された位置とに動かすための操作手段を備えていることを特徴とする掃除具（請求項１）。
【０００９】
（２）前記操作手段は、前記収納体の側壁部における前記開口端の近傍には該側壁部を内外に貫く側壁透孔を形成し、前記作用杆には前記一端から他端に向かって該側壁透孔から離れる方向に徐々に傾斜した切り欠きを該側壁透孔に対応させて形成し、該側壁透孔には押圧体を該切り欠きに接離する方向に進退自在に挿嵌し、該押圧体を該収納体の内方に押し込んだときに該押圧体の内側端が該切り欠きを押圧することにより該作用杆が前記バネの力に抗して前記一端方向に移動して前記粘着体を前記収納体の開口端から突出させ、該押圧体に対する押圧を解除したときに該作用杆が前記バネの力により元の位置に復帰して該粘着体を該収納体内に収納された位置に戻すようにしてなる（請求項２）。
【００１０】
（３）前記操作手段は、前記収納体の他端には該収納体を内外に貫く端部透孔を形成し、前記作用杆の他端には突起を備えさせ、該突起を該端部透孔に進退自在に挿通し、該突起を該収納体の前記一端方向に押し込んだときに該作用杆が前記バネの力に抗して前記一端方向に移動して前記粘着体を前記収納体の開口端から突出させ、該突起に対する押圧を解除したときに該作用杆が前記バネの力により元の位置に復帰して該粘着体を該収納体内に収納された位置に戻すようにしてなる（請求項３）。
【考案の効果】
【００１１】
［請求項１の考案］
請求項１の考案によれば、粘着体はバネの力により常時収納体内に位置するため、掃除具の非使用時にゴミ、ホコリ等が粘着体に付着するおそれがない。
【００１２】
操作手段を操作することにより、粘着体が収納体の開口端より突出する。該開口端より突出した粘着体を電子部品、精密部品等の対象物に当てて該対象物のゴミ、ホコリその他の異物を該粘着体に付着させて除去することができ、更には該粘着体に極小部品を付着させて移動させることもできる。
【００１３】
操作手段を操作することにより、作用杆がバネの力により元の位置に復帰するのであるが、収納体の開口端は、粘着体が収納体の外方より該開口端を通過する時に該粘着体に付着している異物又は極小部品を該粘着体から除去するように該粘着体の表面に近接しているため、粘着体に付着している異物又は極小部品は該開口端により該粘着体から除去される。
【００１４】
［請求項２の考案］
押圧体は収納体の側壁部における開口端の近傍に配設されているため、対象物からの異物の除去作業時あるいは極小部品の移動作業時に、対象物、異物、極小部品ないし粘着体から目を離すことなく押圧体を操作し、粘着体の出し入れを行うことができる。
【００１５】
［請求項３の考案］
掃除具の使用状態に応じて、収納体の他端に配設した突起を操作することにより粘着体の出し入れを行うことができる。
【図面の簡単な説明】
【００１６】
【図１】図１は、本考案による掃除具の一例を示す断面図である。
【図２】図２は、同上掃除具の使用状態の一例を示す側面図である。
【考案を実施するための形態】
【００１７】
符号１に示すものは収納体である。収納体１は、好ましくは、略円筒状体とする。
【００１８】
収納体１内には作用杆３を該収納体１の長さ方向に移動自在に配設する。作用杆３は、好ましくは、略円柱状体とする。
【００１９】
作用杆３の一端３ａには粘着体５を備えさせる。
【００２０】
粘着体５は、ゴミ、ホコリその他の異物又は極小部品を粘着させ得るものであればいかなるものであってもよいが、例えば、ブチルゴム、シリコンゴム、ウレタンゴム等により形成する。粘着体５は、好ましくは、略円柱状体とする。
【００２１】
収納体１における作用杆３の当該一端３ａに対応する一端１ａを開口端７となす。
【００２２】
開口端７は、粘着体５が収納体１の外方より開口端７を通過する時に該粘着体５に付着している異物又は極小部品９を該粘着体５から除去するように該粘着体５の表面に近接させる。符号１０に示すものは、電子部品、精密部品等の対象物である。
【００２３】
作用杆３と収納体１との間には常時該作用杆３を前記一端３ａから他端３ｂ方向に付勢するバネ１１を配設する。
【００２４】
図示の事例においては、収納体１は、開口端７を有する前部２ａと、中央部２ｂと、後部２ｃとを相互に着脱自在に連結してなる。前部２ａと粘着体５とは、対象物１０の大きさ等に応じて、別のものと交換することができる。なお、符号１２に示すものは、収納体１のクリップである。
【００２５】
更に、掃除具は、前記作用杆３の一端３ａに備えさせた粘着体５を前記収納体１の開口端７から突出した位置と該収納体１内に収納された位置とに動かすための操作手段を備えている。換言すれば、操作手段は、粘着体５を収納体１の開口端７から出し入れを行う際に使用するものである。
【００２６】
以下、この操作手段について説明する。この操作手段としては、下記の第一の操作手段と第二の操作手段とのいずれか一方又はその両方が使用される。
【００２７】
［第一の操作手段］
収納体１の側壁部１３における前記開口端７の近傍には該側壁部１３を内外に貫く側壁透孔１５を形成する。
【００２８】
作用杆３には前記一端３ａから他端３ｂに向かって該側壁透孔１５から離れる方向に徐々に傾斜した切り欠き１７を該側壁透孔１５に対応させて形成する。
【００２９】
側壁透孔１５には押圧体１９を該切り欠き１７に接離する方向に進退自在に挿嵌し、該押圧体１９を収納体１の内方に押し込んだときに該押圧体１９の内側端１９ａが該切り欠き１７を押圧することにより作用杆３が前記バネ１１の力に抗して前記一端３ａ方向に移動して前記粘着体５を前記収納体１の開口端７から突出させ、該押圧体１９に対する押圧を解除したときに作用杆３が前記バネ１１の力により元の位置に復帰して該粘着体５を該収納体１内に収納された位置に戻すようになす。
【００３０】
［第二の操作手段］
収納体１の他端１ｂには該収納体１を内外に貫く端部透孔２１を形成する。
【００３１】
作用杆３の他端３ｂには突起２３を備えさせ、該突起２３を該端部透孔２１に進退自在に挿通する。
【００３２】
突起２３を収納体１の前記一端１ａ方向に押し込んだときに作用杆３が前記バネ１１の力に抗して前記一端１ａ方向に移動して前記粘着体５を収納体１の開口端７から突出させ、該突起２３に対する押圧を解除したときに作用杆３が前記バネ１１の力により元の位置に復帰して該粘着体５を該収納体１内に収納された位置に戻すようになす。
【００３３】
なお、図示の事例においては、作用杆３には凸部２５を弾設し、収納体１には該凸部２５に対応する係止孔２７を形成し、前記クリップ１２には弾性を備えさせると共に該係止孔２７に臨む押圧部２９を設けている。この事例においては、作用杆３の突起２３を収納体１の前記一端１ａ方向に押し込んだときには、該凸部２５が係止孔２７に係止されて作用杆３がロックされ、クリップ１２の押圧部２９を係止孔２７内に押し込むことにより作用杆３の突起２３を押圧させたときには、作用杆３の凸部２５が係止孔２７から脱出し、作用杆３のロックが解除され、作用杆３はバネ１１の力により元の位置に復帰する。換言すれば、作用杆３の突起２３を押し込んだときには、粘着体５は収納体１の開口端７から突出した状態に維持され、クリップ１２を収納体１方向に押し付けたときには粘着体５は収納体１内に戻る。
【符号の説明】
【００３４】
１  収納体
１ａ  一端
１ｂ  他端
２ａ  前部
２ｂ  中央部
２ｃ  後部
３  作用杆
３ａ  一端
３ｂ  他端
５  粘着体
７  開口端
９  異物又は極小部品
１０  対象物
１１  バネ
１２  クリップ
１３  側壁部
１５  側壁透孔
１７  切り欠き
１９  押圧体
１９ａ  内側端
２１  端部透孔
２３  突起
２５  凸部
２７  係止孔
２９  押圧部
【図１】
0003153782.tif 000003
【図２】
0003153782.tif 000004